(57)【要約】  本開示のいくつかの態様は、新無線（ＮＲ）技術にしたがって動作する通信システムを使用して基準信号（ＲＬＭ−ＲＳ）決定を監視する無線リンクのための方法および装置に関する。例えば、ＵＥからのワイヤレス通信のための方法は、概して、ネットワークとの無線リソース制御（ＲＲＣ）接続を確立した後、無線リンク監視（ＲＬＭ）のために監視すべきリソースを用いて構成される前に、ＲＬＭのために監視すべきリソースを決定することと、決定されたリソースに基づいてＲＬＭを実行することとを含む。【選択図】図８
2021514156.tif 000002
【特許請求の範囲】
【請求項１】
ユーザ機器（ＵＥ）からのワイヤレス通信のための方法であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定することと、
前記決定されたリソースに基づいてＲＬＭを実行することと
を備える、方法。
【請求項２】
前記決定されたリソースは、ランダムアクセスチャネル（ＲＡＣＨ）プロシージャ中に測定および報告された１つまたは複数のビームを備える、請求項１に記載の方法。
【請求項３】
前記１つまたは複数のビームは、ランダムアクセスプリアンブル送信の後に第１のアップリンクメッセージ中で報告され、前記第１のアップリンクメッセージは、ＲＲＣ接続要求メッセージである、請求項２に記載の方法。
【請求項４】
前記１つまたは複数のビームは、ランダムアクセス応答（ＲＡＲ）メッセージ送信中に使用される１つまたは複数のビームを備える、請求項２に記載の方法。
【請求項５】
前記ＵＥは、前記ＲＡＲメッセージの後の第１のアップリンクメッセージにおいて、前記ＲＡＲメッセージのために使用される前記１つまたは複数のビームのうちの１つのより好ましいビームを報告し、
前記ＲＡＲメッセージの後の後続のダウンリンクメッセージは、前記報告されたビームのうちの１つを使用して送信される、
請求項４に記載の方法。
【請求項６】
初期アクセス中に決定された前記ビームは、ランダムアクセス応答（ＲＡＲ）送信のために使用され、ＲＲＣ接続要求メッセージにおけるビーム報告が存在しない場合、前記決定されたリソースとして使用される、
請求項２に記載の方法。
【請求項７】
前記ＵＥがＲＲＣ−ＣＯＮＮＥＣＴＥＤモードにあり、１つまたは複数の制御リソースセット（ＣＯＲＥＳＥＴ）および探索空間を用いて構成されているが、ＲＬＭ基準信号（ＲＳ）を用いて構成される前に、前記ＵＥは、ＲＬＭのために監視すべき前記リソースを決定する、
請求項１に記載の方法。
【請求項８】
ＲＬＭのために監視すべき前記リソースは、前記１つまたは複数の構成されたＣＯＲＥＳＥＴに関連する送信構成指示（ＴＣＩ）状態における空間擬似コロケーション（ＱＣＬ）パラメータに関連する基準信号（ＲＳ）リソースを備える、請求項７に記載の方法。
【請求項９】
前記ＵＥがランダムアクセスチャネル（ＲＡＣＨ）プロシージャの後にＭ個のＣＯＲＥＳＥＴで構成されるとき、前記ＵＥは、前記ＲＡＣＨプロシージャ中に測定および報告された前のＮ個のＲＬＭ−ＲＳを置き換えるために、Ｍ個のＲＬＭ−ＲＳを使用する、
請求項８に記載の方法。
【請求項１０】
ＮはＭより大きく、
Ｍ個のＲＬＭ−ＲＳは、１つまたは複数の基準に基づいてＮ個のＲＬＭ−ＲＳのサブセットのみを置き換える、
請求項９に記載の方法。
【請求項１１】
ＲＳがデフォルトＲＬＭ−ＲＳであると決定することと、
ネットワーク（ＮＷ）を使用して、前記決定に応答して、周期的に既知のパターンを有する前記ＲＬＭ−ＲＳを送信することと
をさらに備える、請求項１に記載の方法。
【請求項１２】
ネットワークとの無線リソース制御（ＲＲＣ）接続を確立した後、ＲＬＭのために監視すべきリソースを用いて構成される前に、ＲＬＭおよび無線リンク失敗（ＲＬＦ）プロセスのためのパラメータの第１のセットを利用することと、
ネットワークとの無線リソース制御（ＲＲＣ）接続を確立した後に、ＲＬＭおよびＲＬＦプロセスのためのパラメータの前記第１のセットのうちの１つまたは複数を更新することと
をさらに備える、請求項１に記載の方法。
【請求項１３】
第１のパラメータのうちの１つまたは複数を更新することは、前記第１のパラメータのうちの１つまたは複数を固定量だけ増加または減少させることを備える、請求項１２に記載の方法。
【請求項１４】
ユーザ機器（ＵＥ）からのワイヤレス通信のための装置であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定するための手段と、
前記決定されたリソースに基づいてＲＬＭを実行するための手段と
を備える、装置。
【請求項１５】
前記決定されたリソースは、ランダムアクセスチャネル（ＲＡＣＨ）プロシージャ中に測定および報告された１つまたは複数のビームを備える、請求項１４に記載の装置。
【請求項１６】
前記１つまたは複数のビームは、ランダムアクセスプリアンブル送信の後に第１のアップリンクメッセージ中で報告され、前記第１のアップリンクメッセージは、ＲＲＣ接続要求メッセージである、請求項１５に記載の装置。
【請求項１７】
前記１つまたは複数のビームは、ランダムアクセス応答（ＲＡＲ）メッセージ送信中に使用される１つまたは複数のビームを備える、請求項１５に記載の装置。
【請求項１８】
前記ＵＥは、前記ＲＡＲメッセージの後の第１のアップリンクメッセージにおいて、前記ＲＡＲメッセージのために使用される前記１つまたは複数のビームのうちの１つのより好ましいビームを報告し、
前記ＲＡＲメッセージの後の後続のダウンリンクメッセージは、前記報告されたビームのうちの１つを使用して送信される、
請求項１７に記載の装置。
【請求項１９】
初期アクセス中に決定された前記ビームは、ランダムアクセス応答（ＲＡＲ）送信のために使用され、ＲＲＣ接続要求メッセージにおけるビーム報告が存在しない場合、前記決定されたリソースとして使用される、
請求項１５に記載の装置。
【請求項２０】
前記ＵＥがＲＲＣ−ＣＯＮＮＥＣＴＥＤモードにあり、１つまたは複数の制御リソースセット（ＣＯＲＥＳＥＴ）および探索空間を用いて構成されているが、ＲＬＭ基準信号（ＲＳ）を用いて構成される前に、前記ＵＥは、ＲＬＭのために監視すべき前記リソースを決定する、
請求項１４に記載の装置。
【請求項２１】
ＲＬＭのために監視すべき前記リソースは、前記１つまたは複数の構成されたＣＯＲＥＳＥＴに関連する送信構成指示（ＴＣＩ）状態における空間擬似コロケーション（ＱＣＬ）パラメータに関連する基準信号（ＲＳ）リソースを備える、請求項２０に記載の装置。
【請求項２２】
前記ＵＥがランダムアクセスチャネル（ＲＡＣＨ）プロシージャの後にＭ個のＣＯＲＥＳＥＴで構成されるとき、前記ＵＥは、前記ＲＡＣＨプロシージャ中に測定および報告された前のＮ個のＲＬＭ−ＲＳを置き換えるために、Ｍ個のＲＬＭ−ＲＳを使用する、
請求項２１に記載の装置。
【請求項２３】
ＮはＭより大きく、
Ｍ個のＲＬＭ−ＲＳは、１つまたは複数の基準に基づいてＮ個のＲＬＭ−ＲＳのサブセットのみを置き換える、
請求項２２に記載の装置。
【請求項２４】
ＲＳがデフォルトＲＬＭ−ＲＳであると決定するための手段と、
ネットワーク（ＮＷ）を使用して、前記決定に応答して、周期的に既知のパターンを有する前記ＲＬＭ−ＲＳを送信するための手段と
をさらに備える、請求項１４に記載の装置。
【請求項２５】
ネットワークとの無線リソース制御（ＲＲＣ）接続を確立した後、ＲＬＭのために監視すべきリソースを用いて構成される前に、ＲＬＭおよび無線リンク失敗（ＲＬＦ）プロセスのためのパラメータの第１のセットを利用するための手段と、
ネットワークとの無線リソース制御（ＲＲＣ）接続を確立した後に、ＲＬＭおよびＲＬＦプロセスのためのパラメータの前記第１のセットのうちの１つまたは複数を更新するための手段と
をさらに備える、請求項１４に記載の装置。
【請求項２６】
第１のパラメータのうちの１つまたは複数を更新するための手段は、前記第１のパラメータのうちの１つまたは複数を固定量だけ増加または減少させるための手段を備える、請求項２５に記載の装置。
【請求項２７】
ユーザ機器（ＵＥ）からのワイヤレス通信のための装置であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定し、前記決定されたリソースに基づいてＲＬＭを実行するように構成された少なくとも１つのプロセッサと、
前記少なくとも１つのプロセッサに結合されたメモリと
を備える、装置。
【請求項２８】
命令を記憶するコンピュータ可読媒体であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定することと、
前記決定されたリソースに基づいてＲＬＭを実行することと
を行うための、コンピュータ可読媒体。
【発明の詳細な説明】
【米国特許法１１９条に基づく優先権の主張】
【０００１】
[0001]  本出願は、２０１８年２月１６日付けで出願された米国仮特許出願第６２／７１０，４５５号に対する優先権及びその利益を主張する、２０１９年２月１３日付けで出願された米国特許出願第１６／２７４，３３９号に対する優先権を主張するものであり、これらは両方とも参照によりその全体が本明細書に組み込まれている。
【技術分野】
【０００２】
[0002]  本開示は、一般に通信システムに関し、より詳細には、例えば、新無線（ＮＲ：new radio）技術にしたがって動作する通信システムにおいて、無線リンク監視基準信号（ＲＬＭ−ＲＳ：radio link monitoring reference signal）を決定するための方法および装置に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥ−Ａネットワークでは、１つまたは複数の基地局のセットがｅノードＢ（ｅＮＢ）を定義し得る。他の例では（例えば、次世代または５Ｇネットワークでは）、ワイヤレス多元接続通信システムは、いくつかの集中型ユニット（ＣＵ：central units）（例えば、集中型ノード（ＣＮ：central nodes）、アクセスノードコントローラ（ＡＮＣ：access node controllers）など）と通信状態にあるいくつかの分散型ユニット（ＤＵ：distributed units）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ：transmission reception points）など）を含み得、ここで、集中型ユニットと通信状態にある１つまたは複数の分散型ユニットのセットは、アクセスノード（例えば、新無線基地局（ＮＲ ＢＳ：new radio base station）、新無線ノードＢ（ＮＲ ＮＢ：new radio node-B）、ネットワークノード、５Ｇ ＮＢ、ｅＮＢ、次世代ノードＢ（ｇＮＢ：Next Generation Node B）など）を定義し得る。基地局またはＤＵは、（例えば、基地局からまたはＵＥへの送信のための）ダウンリンクチャネルおよび（例えば、ＵＥから基地局または分散型ユニットへの送信のための）アップリンクチャネル上でＵＥのセットと通信し得る。
【０００５】
[0005]  これらの多元接続技術は、異なるワイヤレスデバイスが都市、国家、地域、さらには地球規模で通信することを可能にする共通プロトコルを与えるために様々な電気通信規格において採用されている。新興の電気通信規格の一例は、新無線（ＮＲ）、例えば５Ｇ無線アクセスである。ＮＲは、第３世代パートナーシッププロジェクト（３ＧＰＰ（登録商標））によって公表されたＬＴＥモバイル規格に対する拡張のセットである。これは、スペクトル効率を改善し、コストを低減し、サービスを改善し、新しいスペクトルを利用し、ダウンリンク（ＤＬ）およびアップリンク（ＵＬ）上でサイクリックプレフィックス（ＣＰ）を有するＯＦＤＭＡを使用する他のオープン規格とより良好に統合することによって、モバイルブロードバンドインターネットアクセスをより良好にサポートし、ならびにビームフォーミング、多入力多出力（ＭＩＭＯ）アンテナ技術、およびキャリアアグリゲーションをサポートするように設計される。
【０００６】
[0006]  しかしながら、モバイルブロードバンドアクセスに対する需要が増加し続けるにつれて、ＮＲ技術におけるさらなる改善に対する要望が存在する。好ましくは、これらの改善は、他の多元接続技術と、これらの技術を採用する電気通信規格とに適用可能であるべきである。
【発明の概要】
【０００７】
[0007]  本開示のシステム、方法、およびデバイスは各々、いくつかの態様を有し、それらのうちのいずれも、単独でその望ましい属性を担うものではない。以下の特許請求の範囲によって表される本開示の範囲を限定することなく、いくつかの特徴をここで簡単に論じる。この説明を考慮した後、特に「発明を実施するための形態」と題するセクションを読んだ後、当業者は、本開示の特徴が、ワイヤレスネットワークにおけるアクセスポイントと局との間の改善された通信を含む利点をどのように提供するかが理解されよう。
【０００８】
[0008]  ある特定の態様は、ユーザ機器によるワイヤレス通信のための方法を提供する。本方法は、概して、ネットワークとの無線リソース制御（ＲＲＣ）接続を確立した後、無線リンク監視（ＲＬＭ）のために監視すべきリソースを用いて構成される前に、ＲＬＭのために監視すべきリソースを決定することと、決定されたリソースに基づいてＲＬＭを実行することとを含む。
【０００９】
[0009]  態様は、概して、添付の図面を参照しながら本明細書で実質的に説明され、添付の図面によって示されるような、方法、装置、システム、コンピュータ可読媒体、および処理システムを含む。多数の他の態様が提供される。
【００１０】
[0010]  上記のおよび関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。しかしながら、これらの特徴は、様々な態様の原理を採用することができる様々な方法のほんのいくつかを示すものであり、この説明は、全てのそのような態様およびそれらの均等物を含むものとする。
【図面の簡単な説明】
【００１１】
[0011]  本開示の上記の特徴が詳細に理解され得るように、上記で簡単に要約されたより具体的な説明が、態様を参照することによって行われ得、そのいくつかが添付の図面に示される。しかしながら、添付の図面は、本開示のいくつかの典型的な態様のみを示し、したがって、その範囲を限定すると見なされるべきではなく、説明は、他の等しく有効な態様を認め得ることに留意されたい。
【図１】[0012]  図１は、本開示の態様が実行され得る例示的な電気通信システムを概念的に示すブロック図である。
【図２】[0013]  図２は、本開示のいくつかの態様による、分散ＲＡＮの例示的な論理アーキテクチャを示すブロック図である。
【図３】[0014]  図３は、本開示のいくつかの態様による、分散ＲＡＮの例示的な物理アーキテクチャを示す図である。
【図４】[0015]  図４は、本開示のいくつかの態様による、例示的なＢＳおよびユーザ機器（ＵＥ）の設計を概念的に示すブロック図である。
【図５】[0016]  図５は、本開示のいくつかの態様による、通信プロトコルスタックを実装するための例を示す図である。
【図６】[0017]  図６は、本開示のいくつかの態様による、新無線（ＮＲ）システムのためのフレームフォーマットの一例を示す。
【図７】[0018]  図７は、本開示のいくつかの態様による、ユーザ機器（ＵＥ）によるワイヤレス通信のための例示的な動作を示す。
【図８】[0019]  図８は、本開示の態様による、無線リンク監視（ＲＬＭ）のためのフロー図を示す。
【００１２】
[0020]  理解を容易にするために、可能な場合、図面に共通の同一の要素を指定するために同一の参照番号が使用されている。一態様に説明される要素は、具体的な記載なしに他の態様に対して有益に利用され得ることが企図される。
【詳細な説明】
【００１３】
[0021]  本開示の態様は、ＮＲ（新無線アクセス技術または５Ｇ技術）のための、装置、方法、処理システム、およびコンピュータ可読媒体を提供する。本明細書で開示する１つまたは複数のケースは、ＲＲＣ接続セットアップの前または明示的なＲＬＭ−ＲＳ構成の前にＲＬＭ−ＲＳを決定するプロシージャを提供し得る。
【００１４】
[0022]  ＮＲは、発展型モバイルブロードバンド（ｅＭＢＢ）、（例えば、８０ＭＨｚを超える）広帯域幅を目標とするサービス、高キャリア周波数（例えば、２７ＧＨｚ）を目標とするミリ波（ｍｍＷ）、後方互換性のないＭＴＣ技法を目標とする大規模なＭＴＣ（ｍＭＴＣ）、および／または高信頼性の低レイテンシ通信（ＵＲＬＬＣ）を目標としたミッションクリティカル（mission critical）などの、様々なワイヤレス通信をサポートし得る。これらのサービスは、レイテンシおよび信頼性要件を含み得る。これらのサービスはまた、それぞれのサービス品質（ＱｏＳ）要件を満たすために、異なる送信時間間隔（ＴＴＩ）を有し得る。さらに、これらのサービスは、同じサブフレーム内に共存し得る。
【００１５】
[0023]  以下の説明は例を提供するものであり、特許請求の範囲に記載される範囲、適用可能性、または例を限定するものではない。本開示の範囲から逸脱することなく、説明した要素の機能および配置に変更を加えることができる。様々な例は、必要に応じて、様々なプロシージャまたはコンポーネントを省略、代用、あるいは追加し得る。例えば、説明される方法は、説明されるものとは異なる順序で行われ得、また、様々なステップが追加、省略、または組み合わせられ得る。また、いくつかの例に関して説明された特徴は、いくつかの他の例において組み合わされ得る。例えば、本明細書に記載されている任意の数の態様を使用して、装置が実装され得るか、または方法が実施され得る。加えて、本開示の範囲は、本明細書に記載される開示の様々な態様に加えて、または本開示の様々な態様の他に、他の構造、機能、または構造および機能を使用して実施されるそのような装置または方法をカバーすることを意図している。本明細書に開示された開示のいずれの態様も、特許請求の範囲の１つまたは複数の要素によって具現化され得ることが理解されるべきである。「例示的な」という単語は、本明細書では、「例、事例、または例示としの役割を果たすこと」を意味するために使用される。「例示的な」ものとして本明細書で説明される任意の態様は、必ずしも、他の態様よりも好ましいまたは有利であると解釈されるべきでない。
【００１６】
[0024]  本明細書で説明する技法は、ＬＴＥ、ＣＤＭＡ、ＴＤＭＡ、ＦＤＭＡ、ＯＦＤＭＡ、ＳＣ−ＦＤＭＡおよび他のネットワークなどの、様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実施し得る。ＵＴＲＡは、ワイドバンドＣＤＭＡ（ＷＣＤＭＡ（登録商標））およびＣＤＭＡの他の変形態を含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実施し得る。ＯＦＤＭＡネットワークは、ＮＲ（例えば、５Ｇ ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサルモバイル電気通信システム（ＵＭＴＳ）の一部である。ＮＲは、５Ｇ技術フォーラム（５ＧＴＦ）に関連して開発中の新興ワイヤレス通信技術である。３ＧＰＰロングタームエボリューション（ＬＴＥ）およびＬＴＥアドバンスト（ＬＴＥ−Ａ）は、Ｅ ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。「ＬＴＥ」は概して、ＬＴＥ、ＬＴＥ−アドバンスト（ＬＴＥ−Ａ）、アンライセンススペクトル中のＬＴＥ（ＬＴＥ−ｗｈｉｔｅｓｐａｃｅ）などを指す。本明細書で説明する技法は、上記のワイヤレスネットワークおよび無線技術、ならびに他のワイヤレスネットワークおよび無線技術に使用され得る。明確化のために、本明細書では、３Ｇおよび／または４Ｇワイヤレス技術に一般に関連する用語を使用して態様が説明され得るが、本開示の態様は、ＮＲ技術を含む、５Ｇ以降などの他の世代ベースの通信システムにおいて適用され得る。
【００１７】
＜無線通信システムの例＞
[0025]  図１は、本開示の態様が実行され得る、新無線（ＮＲ）または５Ｇネットワークなどの例示的なワイヤレスネットワーク１００を示す。
【００１８】
[0026]  図１に図示されるように、ワイヤレスネットワーク１００は、いくつかのＢＳ１１０および他のネットワークエンティティを含み得る。ＢＳは、ＵＥと通信する局であり得る。各ＢＳ１１０は、特定の地理的エリアに対して通信カバレッジを提供することができる。３ＧＰＰでは、「セル」という用語は、この用語が使用される文脈に応じて、ノードＢのカバレッジエリアおよび／またはこのカバレッジエリアにサービスしているノードＢサブシステムを指すことがある。ＮＲシステムでは、「セル」という用語と、ｅＮＢ、ノードＢ、５Ｇ ＮＲ、ＡＰ、ＮＲ ＢＳ、ＮＲ ＢＳ、ｇＮＢ、またはＴＲＰとは、交換可能であり得る。いくつかの例では、セルは、必ずしも静止しているとは限らず、セルの地理的エリアは、モバイル基地局のロケーションにしたがって移動し得る。いくつかの例では、基地局は、任意の適切なトランスポートネットワークを使用して、直接物理接続、仮想ネットワークなどの様々なタイプのバックホールインターフェースを通して、互いに、および／またはワイヤレスネットワーク１００中の１つまたは複数の他の基地局もしくはネットワークノード（図示せず）に相互接続され得る。
【００１９】
[0027]  一般に、任意の数のワイヤレスネットワークが所与の地理的エリアにおいて展開され得る。各ワイヤレスネットワークは、特定の無線アクセス技術（ＲＡＴ）をサポートし得、１つまたは複数の周波数上で動作し得る。ＲＡＴはまた、無線技術、エアインターフェースなどとも呼ばれ得る。周波数は、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００２０】
[0028]  ＢＳは、マクロセル、ピコセル、フェムトセル、および／または他のタイプのセルに通信カバレッジを与え得る。マクロセルは、比較的大きい地理的エリア（例えば、半径数キロメートル）をカバーし、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（例えば、自宅）をカバーし得、フェムトセルとの関連を有するＵＥ（例えば、限定加入者グループ（ＣＳＧ：Closed Subscriber Group）中のＵＥ、自宅内のユーザのためのＵＥなど）による限定アクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示す例では、ＢＳ１１０ａ、１１０ｂ、および１１０ｃは、それぞれマクロセル１０２ａ、１０２ｂ、および１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（例えば、３つの）セルをサポートし得る。
【００２１】
[0029]  ワイヤレスネットワーク１００はまた、中継局を含み得る。中継局は、上流局（例えば、ＢＳまたはＵＥ）からデータおよび／または他の情報の送信を受信し、下流局（例えば、ＵＥまたはＢＳ）にデータおよび／または他の情報の送信を送る局である。中継局はまた、他のＵＥに対する送信を中継するＵＥであり得る。図１に示す例では、中継局１１０ｒは、ＢＳ１１０ａとＵＥ１２０ｒとの間の通信を容易にするために、ＢＳ１１０ａおよびＵＥ１２０ｒと通信し得る。中継局は、中継ＢＳ、中継器などと呼ばれることもある。
【００２２】
[0030]  ワイヤレスネットワーク１００は、異なるタイプのＢＳ、例えば、マクロＢＳ、ピコＢＳ、フェムトＢＳ、リレーなどを含む異種ネットワークであり得る。これらの様々なタイプのｅＮＢは、様々な送信電力レベル、様々なカバレッジエリア、およびワイヤレスネットワーク１００中の干渉に対する様々な影響を有し得る。例えば、マクロＢＳは、高い送信電力レベル（例えば、２０ワット）を有し得るが、ピコＢＳ、フェムトＢＳ、およびリレーは、より低い送信電力レベル（例えば、１ワット）を有し得る。
【００２３】
[0031]  ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明する技法は、同期動作と非同期動作の両方のために使用され得る。
【００２４】
[0032]  ネットワークコントローラ１３０は、ＢＳのセットに結合し、これらのＢＳの協調および制御を行い得る。ネットワークコントローラ１３０は、バックホールを介してＢＳ１１０と通信し得る。ｅＮＢ１１０はまた、例えば、ワイヤレスバックホールまたはワイヤラインバックホールを介して直接または間接的に互いに通信し得る。
【００２５】
[0033]  ＵＥ１２０（例えば、１２０ｘ、１２０ｙなど）は、ワイヤレスネットワーク１００にわたって分散され得、各ＵＥは、固定式または移動式であり得る。ＵＥはまた、モバイル局、端末、アクセス端末、加入者ユニット、局、顧客構内機器（ＣＰＥ：Customer Premises Equipment）、セルラフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲーミングデバイス、ネットブック、スマートブック、ウルトラブック、医療デバイスまたは医療機器、ヘルスケアデバイス、生体センサ／デバイス、スマートウォッチや、スマート衣服や、スマートメガネや、仮想現実ゴーグルや、スマートリストバンドや、スマートジュエリ（例えば、スマートリング、スマートブレスレットなど）のようなウェアラブルデバイス、エンターテインメントデバイス（例えば、音楽デバイス、ビデオデバイス、衛星ラジオなど）、車両コンポーネントまたはセンサ、スマートメータ／センサ、ロボット、ドローン、工業製造機器、測位デバイス（例えば、ＧＰＳ、北斗、地上の）、あるいはワイヤレスまたはワイヤード媒体を介して通信するように構成された任意の他の適したデバイスと呼ばれ得る。いくつかのＵＥは、マシンタイプ通信（ＭＴＣ）デバイスまたは発展型ＭＴＣ（ｅＭＴＣ）デバイスであると考えられ得、それは、基地局、別のリモートデバイス、または何らかの他のエンティティと通信し得るリモートデバイスを含み得る。マシンタイプ通信（ＭＴＣ）は、通信の少なくとも１つの端部上の少なくとも１つのリモートデバイスを伴う通信を指すことがあり、必ずしも人間の対話を必要としない１つまたは複数のエンティティを伴うデータ通信の形態を含み得る。ＭＴＣ ＵＥは、例えば、公衆地上モバイル・ネットワーク（ＰＬＭＮ：Public Land Mobile Networks）を通してＭＴＣサービスおよび／または他のＭＴＣデバイスとＭＴＣ通信することができるＵＥを含み得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、ロケーションタグなどを含む。ワイヤレスノードは、例えば、ワイヤードまたはワイヤレス通信リンクを介してネットワーク（例えば、インターネットまたはセルラーネットワークなどのワイドエリアネットワーク）のためのまたはそれへの接続性を提供し得る。ＭＴＣ ＵＥ、ならびに他のＵＥは、モノのインターネット（ＩｏＴ）デバイス、例えば、ナローバンドＩｏＴ（ＮＢ−ＩｏＴ）デバイスとして、実装され得る。
【００２６】
[0034]  図１において、両矢印付きの実線は、ダウンリンクおよび／またはアップリンク上でＵＥにサービスするように指定されたＢＳである、ＵＥとサービングＢＳとの間の所望の送信を示す。両矢印付きの破線は、ＵＥとＢＳとの間の干渉する送信を示す。
【００２７】
[0035]  いくつかのワイヤレスネットワーク（例えば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータとともに変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。例えば、サブキャリアの間隔は１５ｋＨｚであり得、（「リソースブロック」と呼ばれる）最小リソース割り振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅をサブバンドに区分することもできる。例えば、サブバンドは、１．０８ＭＨｚ（例えば、６つのリソースブロック）をカバーし得、および１．２５、２．５、５、１０または２０ＭＨｚのシステム帯域幅に対して、それぞれ、１、２、４、８または１６個のサブバンドが存在し得る。本明細書で説明する例の態様はＬＴＥ技術に関連し得るが、本開示の態様は、ＮＲなどの他のワイヤレス通信システムに適用可能であり得る。ＬＴＥでは、基本送信時間間隔（ＴＴＩ）またはパケット持続時間は１サブフレームである。ＮＲでは、サブフレームは依然として１ｍｓであるが、基本ＴＴＩはスロットと呼ばれる。サブフレームは、トーン間隔（例えば、１５、３０、６０、１２０、２４０ｋＨｚ）に応じて可変数のスロット（例えば、１、２、４、８、１６、．．．スロット）を含む。ＮＲは、アップリンクおよびダウンリンク上でＣＰとともにＯＦＤＭを利用し、時分割複信（ＴＤＤ）を使用する半二重動作のためのサポートを含み得る。１００ＭＨｚの単一コンポーネントキャリア帯域幅がサポートされ得る。ＮＲ個のリソースブロックは、０．１ｍｓの持続時間にわたって７５ｋＨｚのサブキャリア帯域幅をもつ１２個のサブキャリアに広がり得る。各無線フレームは、１０ｍｓの長さを有するとともに、２つの半フレームで構成され得、各半フレームは、５個のサブフレームで構成されている。結果として、各サブフレームは、１ｍｓの長さを有し得る。各サブフレームは、データ送信のためのリンク方向（すなわち、ＤＬまたはＵＬ）を示し得、各サブフレームのためのリンク方向が、動的に切り替えられ得る。各サブフレームは、ＤＬ／ＵＬデータならびにＤＬ／ＵＬ制御データを含み得る。ＮＲのためのＵＬおよびＤＬサブフレームは、図６に関して以下でより詳細に説明されるようなものであり得る。ビームフォーミングがサポートされ得、ビーム方向が動的に構成され得る。プリコーディングを用いたＭＩＭＯ送信もサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大���ストリームを有するマルチレイヤ送信がサポートされ得る。複数のセルのアグリゲーションは、最大８個のサービングセルを用いてサポートされ得る。代替的に、ＮＲは、ＯＦＤＭベース以外の異なるエアインターフェースをサポートし得る。ＮＲネットワークは、ＣＵおよび／またはＤＵなどのエンティティを含み得る。
【００２８】
[0036]  いくつかの例では、エアインターフェースへのアクセスがスケジュールされ得、ここで、スケジューリングエンティティ（例えば、基地局）は、そのサービスエリアまたはセル内のいくつかまたは全てのデバイスおよび機器の間の通信のためのリソースを割り振る。本開示内では、以下でさらに説明するように、スケジューリングエンティティは、１つまたは複数の下位エンティティのためのリソースをスケジューリングし、割り当て、再構成し、解放することを担い得る。すなわち、スケジューリングされた通信のために、下位エンティティは、スケジューリングエンティティによって割り当てられたリソースを利用する。基地局は、スケジューリングエンティティとして機能し得る唯一のエンティティではない。すなわち、いくつかの例では、ＵＥは、１つまたは複数の下位エンティティ（例えば、１つまたは複数の他のＵＥ）のためのリソースをスケジューリングするスケジューリングエンティティとして機能し得る。この例では、ＵＥはスケジューリングエンティティとして機能しており、他のＵＥは、ワイヤレス通信のためにＵＥによってスケジュールされたリソースを利用する。ＵＥは、ピア・ツー・ピア（Ｐ２Ｐ）ネットワーク中、および／またはメッシュネットワーク中のスケジューリングエンティティとして機能し得る。メッシュネットワークの例では、ＵＥは、スケジューリングエンティティとの通信に加えて、任意で互いに直接通信し得る。
【００２９】
[0037]  したがって、時間周波数リソースへのスケジュールされたアクセスを有し、セルラー構成、Ｐ２Ｐ構成、およびメッシュ構成を有するワイヤレス通信ネットワークでは、スケジューリングエンティティおよび１つまたは複数の従属エンティティは、スケジュールされたリソースを利用して通信し得る。
【００３０】
[0038]  上記のように、ＲＡＮはＣＵおよびＤＵを含み得る。ＮＲ ＢＳ（例えば、ｅＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ）またはデータ専用セル（ＤＣｅｌｌ）として構成されることができる。例えば、ＲＡＮ（例えば、集中型ユニットまたは分散型ユニット）は、セルを構成することができる。ＤＣｅｌｌは、キャリアアグリゲーションまたは二重接続のために使用されるセルであり得るが、初期アクセス、セル選択／再選択、またはハンドオーバのためには使用されない。いくつかのケースでは、ＤＣｅｌｌは、同期信号を送信しない可能性がある――いくつかのケースではＤＣｅｌｌは、ＳＳを送信し得る。ＮＲ ＢＳは、セルタイプを示すダウンリンク信号をＵＥに送信し得る。セルタイプインジケーションに基づいて、ＵＥは、ＮＲ ＢＳと通信し得る。例えば、ＵＥは、示されたセルタイプに基づいて、セル選択、アクセス、ハンドオーバ、および／または測定について考慮するために、ＮＲ ＢＳを決定し得る。
【００３１】
[0039]  図２は、分散された無線アクセスネットワーク（ＲＡＮ）２００の例となる論理アーキテクチャを図示しており、図１に図示されるワイヤレス通信システム中で実装され得る。５Ｇアクセスノード２０６は、アクセスノードコントローラ（ＡＮＣ）２０２を含み得る。ＡＮＣは、分散型ＲＡＮ２００の集中型ユニット（ＣＵ）であり得る。次世代コアネットワーク（ＮＧ−ＣＮ）２０４へのバックホールインターフェースは、ＡＮＣにおいて終了し得る。隣接する次世代アクセスノード（ＮＧ−ＡＮ：neighboring next generation access nodes）へのバックホールインターフェースは、ＡＮＣにおいて終了し得る。ＡＮＣは、（ＢＳ、ＮＲ ＢＳ、ノードＢ、５Ｇ ＮＢ、ＡＰ、ｇＮＢまたは何らかの他の用語でも呼ばれ得る）１つまたは複数のＴＲＰ２０８を含み得る。上述のように、ＴＲＰは、「セル」と互換的に使用され得る。
【００３２】
[0040]  ＴＲＰ２０８は、ＤＵであり得る。ＴＲＰは、１つのＡＮＣ（ＡＮＣ２０２）または１よりも多いＡＮＣ（図示されない）に接続され得る。例えば、ＲＡＮ共有、サービスとしての無線（ＲａａＳ：radio as a service）、およびサービス固有ＡＮＤ展開（service specific AND deployments）について、ＴＲＰは、１よりも多いＡＮＣに接続され得る。ＴＲＰは、１つまたは複数のアンテナポートを含み得る。ＴＲＰは、個別に（例えば、動的選択）または共同で（例えば、共同送信）ＵＥへのトラフィックをサービスするように構成され得る。
【００３３】
[0041]  ローカルアーキテクチャ２００は、フロントホール定義を示すために使用され得る。異なる展開タイプにわたるフロントホールソリューションをサポートするアーキテクチャが定義され得る。例えば、アーキテクチャは、送信ネットワーク能力（例えば、帯域幅、レイテンシ、および／またはジッタ）に基づき得る。
【００３４】
[0042]  アーキテクチャは、特徴および／または構成要素をＬＴＥと共有し得る。態様によれば、次世代ＡＮ（ＮＧ−ＡＮ）２１０は、ＮＲとのデュアル接続性をサポートし得る。ＮＧ−ＡＮは、ＬＴＥおよびＮＲのための共通フロントホールを共有し得る。
【００３５】
[0043]  アーキテクチャは、ＴＲＰ２０８間の（between and among）協調を可能にし得る。例えば、協調は、ＡＮＣ２０２を介して、ＴＲＰ内および／またはＴＲＰにわたって事前設定され得る。複数の態様よれば、ＴＲＰ間インターフェース（inter-TRP interface）は必要とされ得ない／存在し得ない。
【００３６】
[0044]  複数の態様よれば、分割論理機能の動的構成がアーキテクチャ２００内に存在し得る。図５を参照してより詳細に説明するように、無線リソース制御（ＲＲＣ）レイヤ、パケットデータコンバージェンスプロトコル（ＰＤＣＰ）レイヤ、無線リンク制御（ＲＬＣ）レイヤ、メディアアクセス制御（ＭＡＣ）レイヤ、および物理（ＰＨＹ）レイヤは、ＤＵまたはＣＵ（例えば、それぞれＴＲＰまたはＡＮＣ）に適応的に配置され得る。ある特定の態様によれば、ＢＳは、集中型ユニット（ＣＵ）（例えば、ＡＮＣ２０２）および／または１つまたは複数の分散型ユニット（例えば、１つまたは複数のＴＲＰ２０８）を含み得る。
【００３７】
[0045]  図３は、本開示の態様による、分散ＲＡＮ３００の例示的な物理アーキテクチャを示す。集中型コアネットワークユニット（Ｃ−ＣＵ）３０２は、コアネットワーク機能をホストし得る。Ｃ−ＣＵは、集中配置され（centrally deployed）得る。Ｃ−ＣＵ機能は、ピーク容量を処理しようとして、（例えば、アドバンストワイヤレスサービス（ＡＷＳ：advanced wireless services）に）オフロードされ得る。
【００３８】
[0046]  集中型ＲＡＮユニット（Ｃ−ＲＵ）３０４は、１つまたは複数のＡＮＣ機能をホストし得る。任意で、Ｃ−ＲＵは、コアネットワーク機能をローカルにホストすることができる。Ｃ−ＲＵは、分散型配置（distributed deployment）を有し得る。Ｃ−ＲＵは、ネットワークエッジに近い可能性がある。
【００３９】
[0047]  ＤＵ３０６ｈは、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能とともにネットワークのエッジに位置し得る。
【００４０】
[0048]  図４は、図１に示されたＢＳ１１０およびＵＥ１２０の例示的な構成要素を示し、これらは本開示の態様を実施するように使用され得る。上述されるように、ＢＳは、ＴＲＰを含み得る。ＢＳ１１０およびＢＳ１２０の１つまたは複数の構成要素は、本開示の態様を実施するために使用され得る。例えば、ＵＥ１２０のアンテナ４５２、プロセッサ４６６、４５８、４６４、および／またはコントローラ／プロセッサ４８０、ならびに／あるいは、ＢＳ１１０のアンテナ４３４、プロセッサ４３０、４２０、４３８、および／またはコントローラ／プロセッサ４４０は、本明細書で説明され、図７および図８を参照して示された動作を実行するために使用され得る。
【００４１】
[0049]  図４は、図１におけるＢＳのうちの１つおよびＵＥのうちの１つであり得る、ＢＳ１１０およびＵＥ１２０の設計のブロック図を示す。制限付き関連付けシナリオの場合、基地局１１０は図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００４２】
[0050]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは、物理ダウンリンク共有チャネル（ＰＤＳＣＨ）などのためのものであり得る。プロセッサ４２０は、データと制御情報とを処理（例えば、符号化およびシンボルマッピング）し、データシンボルと制御シンボルとをそれぞれ取得し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を実行し得、出力シンボルストリームを変調器（ＭＯＤ）４３２ａ〜４３２ｔに提供し得る。例えば、ＴＸ ＭＩＭＯプロセッサ４３０は、ＲＳ多重化のために本明細書で説明するいくつかの態様を実行し得る。各変調器４３２は、出力サンプルストリームを取得するために、（例えば、ＯＦＤＭなどの）それぞれの出力シンボルストリームを処理し得る。各変調器４３２はさらに、ダウンリンク信号を取得するために、出力サンプルストリームを処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４３】
[0051]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに提供し得る。各復調器４５４は、入力サンプルを取得するために、それぞれの受信信号を調整（例えば、フィルタ処理、増幅、ダウンコンバート、およびデジタル化）し得る。各復調器４５４はさらに、受信シンボルを取得するために、（例えば、ＯＦＤＭなどの）入力サンプルを処理し得る。ＭＩＭＯ検出器４５６は、全ての復調器４５４ａ〜４５４ｒから受信シンボルを取得し、適用可能な場合は受信シンボルに対してＭＩＭＯ検出を実行し、検出シンボルを提供し得る。例えば、ＭＩＭＯ検出器４５６は、本明細書で説明する技法を使用して送信された、検出されたＲＳを提供し得る。受信プロセッサ４５８は、検出シンボルを処理（例えば、復調、デインターリーブ、および復号）し、ＵＥ１２０の復号されたデータをデータシンク４６０に提供し、復号された制御情報をコントローラ／プロセッサ４８０に提供し得る。１つまたは複数のケースによると、ＣｏＭＰの態様は、それらが分散型ユニット内に存在するように、アンテナ、ならびにいくつかのＴｘ／Ｒｘ機能を提供することを含み得る。例えば、いくつかのＴｘ／Ｒｘ処理が集中型ユニットで行われ得、一方、他の処理は、分散型ユニットにおいて行われる。例えば、図に示されるような１つまたは複数の態様によると、ＢＳ変調器／復調器４３２は、分散型ユニットにあり得る。
【００４４】
[0052]  アップリンク上では、ＵＥ１２０において、送信プロセッサ４６４が、データソース４６２から（例えば、物理アップリンク共有チャネル（ＰＵＳＣＨ）のための）データを、コントローラ／プロセッサ４８０から（例えば、物理アップリンク制御チャネル（ＰＵＣＣＨ）のための）制御情報を、受信および処理し得る。送信プロセッサ４６４はまた、基準信号のための基準シンボルを生成し得る。送信プロセッサ４６４からのシンボルは、適用可能な場合はＴＸ ＭＩＭＯプロセッサ４６６によってプリコードされ、さらに（例えば、ＳＣ−ＦＤＭなどのために）復調器４５４ａ〜４５４ｒによって処理され、基地局１１０に送信され得る。ｅＮＢ１１０において、ＵＥ１２０からのアップリンク信号は、ＵＥ１２０によって送られた復号されたデータおよび制御情報を取得するために、アンテナ４３４によって受信され、変調器４３２によって処理され、適用可能な場合はＭＩＭＯ検出器４３６によって検出され、さらに受信プロセッサ４３８によって処理され得る。受信プロセッサ４３８は、復号されたデータをデータシンク４３９に提供し、復号された制御情報をコントローラ／プロセッサ４４０に提供し得る。
【００４５】
[0053]  コントローラ／プロセッサ４４０および４８０は、それぞれ基地局１１０およびＵＥ１２０における動作を指示し得る。基地局１１０におけるプロセッサ４４０および／または他のプロセッサおよびモジュールは、本明細書に説明される技法のためのプロセスを実行または指示し得る。基地局１２０におけるプロセッサ４８０および／または他のプロセッサおよびモジュールは、本明細書で説明される技法のための処理を実行するか、または指示し得る。メモリ４４２および４８２は、それぞれｅＮＢ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００４６】
[0054]  図５は、本開示の態様による、通信プロトコルスタックを実装するための例を示す図５００を図示する。図示された通信プロトコルスタックは、５Ｇシステム（例えば、アップリンクベースのモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、メディアアクセス制御（ＭＡＣ）レイヤ５２５、および物理（ＰＨＹ）レイヤ５３０を含む通信プロトコルスタックを示す。様々な例では、プロトコルスタックのレイヤは、ソフトウェアの別個のモジュール、プロセッサまたはＡＳＩＣの一部分、通信リンクによって接続された非コロケートデバイスの一部分、またはそれらの組み合わせとして実装され得る。コロケートされたおよびコロケートされていない実装は、例えば、ネットワークアクセスデバイス（例えば、ＡＮ、ＣＵ、および／またはＤＵ）、あるいはＵＥのためのプロトコルスタックにおいて使用され得る。
【００４７】
[0055]  第１のオプション５０５−ａは、プロトコルスタックの分割された実装を示し、それは、そのプロトコルスタックの実装が集中型ネットワークアクセスデバイス（例えば、図２のＡＮＣ２０２）と、分散型ネットワークアクセスデバイス（例えば、図２のＤＵ２０８）との間で分割される。第１のオプション５０５−ａでは、ＲＲＣレイヤ５１０およびＰＤＣＰレイヤ５１５は、集中型ユニットで実装され、ＲＬＣレイヤ５２０、ＭＡＣレイヤ５２５、およびＰＨＹレイヤ５３０は、ＤＵによって実装され得る。ＣＵおよびＤＵの様々な例では、コロケートされるか、またはコロケートされていない可能性があり得る。第１のオプション５０５−ａは、マクロセル、マイクロセル、またはピコセル配置において有用であり得る。
【００４８】
[0056]  第２のオプション５０５−ｂは、プロトコルスタックが単一のネットワークアクセスデバイス（例えば、アクセスノード（ＡＮ）、新無線基地局（ＮＲ ＢＳ）、新無線ノードＢ（ＮＲ ＮＢ）、ネットワークノード（ＮＮ）など）において実装される、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は各々、ＡＮによって実装され得る。第２のオプション５０５−ｂは、フェムトセル展開において有用であり得る。
【００４９】
[0057]  ネットワークアクセスデバイスがプロトコルスタックの一部を実装するか、または全てを実装するかに関わらず、ＵＥは、全体のプロトコルスタック（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００５０】
[0058]  図６は、ＮＲのためのフレームフォーマット６００の一例を示す図である。ダウンリンクおよびアップリンクの各々のための送信タイムラインは、無線フレームの単位（units）に区分され得る。各無線フレームは、所定の持続時間（例えば、１０ミリ秒（ｍｓ））を有してよく、０〜９のインデックスを有する、各々が１ｍｓの１０個のサブフレームに区分され得る。各サブフレームは、サブキャリア間隔に応じて可変数のスロットを含み得る。各スロットは、サブキャリア間隔に応じて、可変数のシンボル期間（例えば、７個または１４個のシンボル）を含み得る。各スロット中のシンボル期間は、インデックスを割り当てられ得る。サブスロット構造と呼ばれることがあるミニスロットは、１スロット（例えば、２、３、または４シンボル）未満の持続時間を有する送信時間間隔を指す。
【００５１】
[0059]  スロット中の各サブフレームは、データ送信のためのリンク方向（例えば、ＤＬまたはＵＬ）を示し得、各サブフレームのためのリンク方向は動的に切り替えられ得る。リンク方向は、スロットフォーマットに基づき得る。各スロットは、ＤＬ／ＵＬデータ、ならびに、ＤＬ／ＵＬ制御データを含み得る。
【００５２】
[0060]  ＮＲでは、同期信号（ＳＳ）ブロックが送信される。ＳＳブロックは、ＰＳＳ、ＳＳＳ、及び２つのシンボルＰＢＣＨを含む。ＳＳブロックは、図６に示すシンボル０〜３のような固定スロット位置で送信することができる。ＰＳＳおよびＳＳＳは、セルサーチおよび捕捉のためにＵＥによって使用され得る。ＰＳＳは、ハーフフレームタイミングを提供し得、ＳＳは、ＣＰ長およびフレームタイミングを提供し得る。ＰＳＳおよびＳＳＳは、セル識別情報を提供し得る。ＰＢＣＨは、ダウンリンクシステム帯域幅、無線フレーム内のタイミング情報、ＳＳバーストセット周期性、システムフレーム番号などのような、いくつかの基本システム情報を搬送する。ＳＳブロックは、ビームスイーピングをサポートするためにＳＳバーストに編成され得る。残りの最小システム情報（ＲＭＳＩ）、システム情報ブロック（ＳＩＢ）、他のシステム情報（ＯＳＩ）などのさらなるシステム情報は、いくつかのサブフレーム中で物理ダウンリンク共有チャネル（ＰＤＳＣＨ）上で送信され得る。ＳＳブロックは、例えば、ｍｍＷのための最大６４個の異なるビーム方向で、最大６４回送信され得る。ＳＳブロックの最大６４回の送信は、ＳＳバーストセットと呼ばれる。ＳＳバーストセット内のＳＳブロックは、同じ周波数領域で送信されるが、異なるＳＳバーストセット内のＳＳブロックは、異なる周波数位置で送信され得る。
【００５３】
[0061]  いくつかの状況では、２以上の従属エンティティ（例えば、ＵＥ）は、サイドリンク信号を使用して互いに通信し得る。そのようなサイドリンク通信の実世界アプリケーションは、公衆安全、近接サービス、ＵＥ対ネットワーク中継、車両対車両（Ｖ２Ｖ）通信、全てのインターネット（ＩｏＥ）通信、ＩｏＴ通信、ミッションクリティカルメッシュ、および／または様々な他の適切なアプリケーションを含み得る。概して、サイドリンク信号は、スケジューリングエンティティがスケジューリングおよび／または制御目的のために利用され得るとしても、スケジューリングエンティティ（例えば、ＵＥまたはＢＳ）を通してその通信を中継せずに、ある下位エンティティ（例えば、ＵＥ１）から別の下位エンティティ（例えば、ＵＥ２）に通信された信号を指し得る。いくつかの例では、サイドリンク信号は、（通常はアンライセンススペクトルを使用する、ワイヤレスローカルエリアネットワークとは異なる）ライセンススペクトルを使用して通信され得る。
【００５４】
[0062]  ＵＥは、リソースの専用セット（例えば、無線リソース制御（ＲＲＣ）専用状態など）を使用してパイロットを送信することに関連する構成、またはリソースの共通セット（例えば、ＲＲＣ共通状態など）を使用してパイロットを送信することに関連する構成を含む、様々な無線リソース構成において動作し得る。ＲＲＣ専用状態で動作するとき、ＵＥは、パイロット信号をネットワークに送信するためのリソースの専用セットを選択し得る。ＲＲＣ共通状態で動作しているとき、ＵＥは、ネットワークにパイロット信号を送信するためにリソースの共通セットを選択し得る。いずれの場合も、ＵＥによって送信されたパイロット信号は、ＡＮ、もしくはＤＵ、またはそれらの部分などの、１つまたは複数のネットワークアクセスデバイスによって受信され得る。各受信ネットワークアクセスデバイスは、リソースの共通セット上で送信されるパイロット信号を受信および測定し、また、ネットワークアクセスデバイスがＵＥのためのネットワークアクセスデバイスのモニタリングセットのメンバーであるＵＥに割り振られるリソースの専用セット上で送信されるパイロット信号を受信および測定するように構成され得る。受信ネットワークアクセスデバイスのうちの１つまたは複数、または受信ネットワークアクセスデバイスがパイロット信号の測定値を送信するＣＵは、ＵＥのためのサービングセルを識別するために、またはＵＥのうちの１つまたは複数のためのサービングセルの変更を開始するために、測定値を使用し得る。
【００５５】
＜新無線（ＮＲ）における無線リンク監視の例＞
[0063]  無線リンク監視（ＲＬＭ）は、現在、新無線（ＮＲ）において提供されている。ＮＲは、ＲＬＭのための少なくとも２つのタイプの基準信号（ＲＳ）をサポートし得る。例えば、ＮＲは、図６を参照して上述されるものなどの、同期信号（ＳＳ）ブロック（ＳＳＢ）タイプの基準信号をサポートし得、チャネル状態情報基準信号（ＣＳＩ−ＲＳ：channel state information references signals）もサポートし得る。
【００５６】
[0064]  仮想物理ダウンリンク制御チャネル（ＰＤＣＣＨ）ブロック誤り率（ＢＬＥＲ：block error rate）は、同期中（ＩＳ：in-synch）および／または同期外（ＯＯＳ：out-of-synch）ＲＬＭ状態を決定するために使用される１つのメトリックであり得る。さらに、ＮＲは、所与のＵＥのための特定の数のＲＬＭ−ＲＳリソースの構成をサポートし得る。いくつかの場合には、サポートされるリソースの数（Ｘ）は、周波数に基づいて決定され得る。特に、１つまたは複数のケースによれば、３ＧＨｚ未満で動作するとき、Ｘは２に等しくなり得る。いくつかの場合には、３ＧＨｚを超え６ＧＨｚ未満で動作する動作するとき、Ｘは４に等しくなり得る。さらに、６ＧＨｚを超えるとき、Ｘは８に等しくなり得る。ビーム管理（ＢＭ）は、ネットワーク（ＮＷ）がＲＬＭ−ＲＳを選択するために必要とされ得る。そのような場合、ＣＳＩ−ＲＳ ＢＭのための同じ構成フレームワークがＲＬＭ−ＲＳのために使用され得る。
【００５７】
[0065]  しかしながら、現在、ＲＬＭ−ＲＳは、明示的に構成されるまで（例えば、ＲＲＣ接続が確立された後）未定義である。したがって、デフォルトＲＬＭ−ＲＳリソースを定義しないと、ＵＥは、明示的なＲＬＭ−ＲＳ構成が提供される前にＲＬＭを実行することができないことがある。これは、例えば、明示的なＲＬＭ−ＲＳ構成が発生するまで、ＵＥがＲＬＭ失敗の検出および報告を遅延させられ得るので、性能を低下させ得る。
【００５８】
＜ＮＲにおけるデフォルトＲＬＭ−ＲＳ決定プロシージャの例＞
[0066]  本開示の態様は、少なくとも１つのデフォルト無線リンク監視基準信号（ＲＬＭ−ＲＳ）決定プロシージャを提供する。本明細書で提示されるプロシージャは、ＵＥが、明示的なＲＬＭ−ＲＳ構成の前にＲＬＭ失敗を検出および報告することを可能にし得、これは、性能を改善することを助け得、例えば、回復プロシージャがより早く開始することを可能にする。
【００５９】
[0067]  図７は、本開示の態様による、デフォルト無線リンク監視基準信号（ＲＬＭ−ＲＳ）を決定するためにユーザ機器（ＵＥ）によって実行され得るワイヤレス通信のための動作７００を示す。動作７００は、例えば、図４に示すＵＥ１２０によって実行され得る。
【００６０】
[0068]  動作７００は、７０２において、ネットワークとの無線リソース制御（ＲＲＣ）接続を確立した後、無線リンク監視（ＲＬＭ）のために監視すべきリソースを用いて構成される前に、ＲＬＭのために監視すべきリソースを決定することによって開始する。７０４において、ＵＥは、決定されたリソースに基づいてＲＬＭを実行する。
【００６１】
[0069]  いくつかの場合には、ＲＬＭのための決定されたリソースは、ランダムアクセスチャネル（ＲＡＣＨ）を通してランダムアクセスプロシージャ中に測定および報告された１つまたは複数のビームを含み得る。いくつかの場合には、１つまたは複数のビームは、ランダムアクセスプリアンブル送信の後に第１のアップリンクメッセージ中で報告され得る。いくつかの場合には、１つまたは複数のビームは、基地局（例えば、ｇＮＢ）によるランダムアクセス応答（ＲＡＲ）メッセージ送信中に使用される１つまたは複数のビームを含み得る。さらに、ＵＥは、ＲＡＲメッセージの後の第１のアップリンクメッセージにおいて、ＲＡＲメッセージのために使用される１つまたは複数のビームのうちの１つのより好ましいビームを報告し得、ＲＡＲメッセージの後の後続のダウンリンクメッセージは、報告されたビームのうちの１つを使用して送信され得る。
【００６２】
[0070]  いくつかの場合には、ネットワークとの無線リソース制御（ＲＲＣ）接続を確立した後、ＲＬＭのために監視すべきリソースを用いて構成される前に、無線リンク失敗（ＲＬＦ）プロセスを含み得るＲＬＭのためのパラメータの第１のセットが使用され得る。ＲＬＭ／ＲＬＦプロセスのためのパラメータの第１のセットは、ネットワークとの無線リソース制御（ＲＲＣ）接続を確立した後に更新され得る。いくつかの場合には、第１のパラメータのうちの１つまたは複数を更新することは、第１のパラメータのうちの１つまたは複数を固定量だけ増加または減少させることを含み得る。
【００６３】
[0071]  本開示の態様は、ＮＲにおけるデフォルトＲＬＭ−ＲＳ決定プロシージャのための技法および装置を提供する。いくつかの場合には、そのようなデフォルトＲＬＭ ＲＳ決定プロシージャは、いくつかの異なる特徴を含むＮＲにおいて使用するために提供され得る。
【００６４】
[0072]  例えば、ＮＲにおけるデフォルトＲＬＭ−ＲＳプロシージャは、いくつかの異なる送信を使用して報告されたビームを利用し得る。上述したように、ランダムアクセスプロシージャ中に、ＵＥは、メッセージ３（Ｍｓｇ３）送信を用いてＮ個の最良のビーム（best beams）を報告し得る。報告されたビームは、メッセージ４（Ｍｓｇ４）および他の送信のために使用され得る。いくつかの場合には、Ｍｓｇ２（ランダムアクセス応答メッセージまたはＲＡＲ）送信がビームトレーニングのために使用され得る。いくつかの場合には、Ｍｓｇ３は、接続モードでマルチリンク動作を構成するために使用され得る報告されたビームの指示などの、ビーム情報を搬送し得る。
【００６５】
[0073]  １つまたは複数のケースによれば、説明したようなそのようなＲＡＣＨプロシージャ中に測定および報告されたＮ個のビームは、ＲＲＣ接続セットアップの前にＮ個のデフォルトＲＬＭ−ＲＳとして使用され得る。いくつかの場合には、Ｍｓｇ３におけるビーム報告が存在しない場合、Ｍｓｇ２送信のためにも使用される、初期アクセス中に決定されたビーム（ＳＳＢ）が、デフォルトＲＬＭ−ＲＳとして使用され得る。
【００６６】
[0074]  １つまたは複数の場合には、ＵＥは、ＲＲＣ−ＣＯＮＮＥＣＴＥＤモードにあり得、また、制御リソースセット（ＣＯＲＥＳＥＴ）および探索空間を用いて構成され得る。ＵＥは、このモードにあり、ＲＬＭ−ＲＳで構成される前にそのような構成を提供され得る。そのような場合、構成されたＣＯＲＥＳＥＴの（それに関連する）送信構成指示（ＴＣＩ）状態における空間ＱＣＬパラメータに関連するＲＳリソース（ＳＳＢまたはＣＳＩ−ＲＳ）は、デフォルトＲＬＭ−ＲＳとして使用され得る。いくつかの場合には、ＵＥがＭ個のＣＯＲＥＳＥＴで構成されるとき、新しいＭ個のＲＬＭ−ＲＳは、前のＮ個のＲＬＭ−ＲＳ（例えば、ＲＡＣＨプロシージャ中に測定および報告されたＮ個のＲＬＭ−ＲＳ）を置き換え得る。いくつかの場合には、Ｎ＞Ｍである場合、新しいＭ個のＲＬＭ−ＲＳは、いくつかの基準（例えば、基準信号受信電力ＲＳＲＰ）に基づいてデフォルトＲＬＭ−ＲＳのサブセットのみを置き換え得る。
【００６７】
[0075]  １つまたは複数の場合には、ＮＲにおけるデフォルトＲＬＭ−ＲＳプロシージャはまた、デフォルトＲＬＭ−ＲＳのセットに関連付けられ得るＲＬＭおよび無線リンク失敗（ＲＬＦ）プロセスのためのデフォルトパラメータのセットを決定し得る。例えば、Ｑ＿ｉｎおよびＱ＿ｏｕｔと呼ばれることがある同期中（ＩＳ）および同期外（ＯＯＳ）ＢＬＥＲしきい値、ならびにタイマ／カウンタパラメータ（例えば、Ｔ３１０およびＮ３１０／Ｎ３１１など）が定義され得る。これらのパラメータは、明示的に構成されたＲＬＭ−ＲＳのためのデフォルト値（例えば、２％および１０％の仮想ＰＤＣＣＨ ＢＬＥＲ）とは異なり得る。これらの「緩和された（relaxed）」パラメータは、明示的な構成が準最適となり得る前にＲＬＭ−ＲＳを依然として認識しながら、いくつかのＲＬＭ機能を依然として可能にし得る。
【００６８】
[0076]  いくつかの場合には、設定デフォルトＲＬＭ−ＲＳを更新するために、移行の組み合わせが実装され得る。例えば、そのようなプロシージャは、３つのステップと、それらの間で移行する能力とを含み得る。これらのステップは、最初に、Ｍｓｇ３構成ビームを使用してデフォルトＲＬＭ−ＲＳを設定し、次いで、ＣＯＲＥＳＥＴ構成ビームを使用してＲＬＭ−ＲＳを定義するように移行し、次いで、構成ＲＳを使用してＲＬＭ−ＲＳを定義するように移行することによって、ＲＬＭ−ＲＳのセットを更新することを含み得る。
【００６９】
[0077]  いくつかの場合には、既存のＲＬＭおよびＲＬＦプロセスは、移行間の繰り越し （ carry over）であり得る。例えば、リセットされず、移行間で繰り越すフィルタリングされた値が存在し得る。例えば、既存のＩＳおよびＯＯＳカウンタおよびタイマ（Ｎ３１０およびＮ３１１）の値が直接繰り越され得る。いくつかの場合には、値の何らかの修正を行うことができる（例えば、固定デルタだけ値を増加／減少させる）。いくつかの場合には、既存のＲＬＭおよびＲＬＦプロセスがリセットされ得る。
【００７０】
[0078]  図８は、本開示の態様による、デフォルトＲＬＭパラメータがどのように決定および使用され得るかのフロー図を示す。
【００７１】
[0079]  ８０２において、ＵＥは、初期アクセスおよびランダムアクセスプロシージャを開始する。８０４において、ＵＥは、メッセージ３送信を使用して（例えば、ＳＳＢに基づいて）Ｎ個の最良のビームを報告する。ネットワーク（ＮＷ）およびＵＥは、次いで、８０６において、ＲＲＣ接続セットアップの前にＲＬＭ−ＲＳとしてＮ個のビームを使用し得る。
【００７２】
[0080]  ＲＲＣ接続セットアップの後、８０８において、１つまたは複数の制御リソースセット（ＣＯＲＥＳＥＴ）がＵＥのために構成され得る。８１０において、ＮＷおよびＵＥは、ＲＬＭ−ＲＳとして、ＣＯＲＥＳＥＴに関連付けられたＴＣＩ状態における空間擬似コロケーション（ＱＣＬ）に関連付けられたＲＳを使用し得る。さらに、８１２において、ＲＬＭ−ＲＳのＲＲＣ構成が提供（明示的に構成）され得る。最後に、ＮＷおよびＵＥは、次いで、８１４において、明示的に構成されたＲＬＭ−ＲＳを使用し得る。
【００７３】
[0081]  いくつかの場合には、ＲＳリソースがデフォルトＲＬＭ−ＲＳとして決定されると、ＮＷは、ＲＬＭ−ＲＳを周期的に送信し得る。デフォルトのＲＬＭ−ＲＳがＳＳＢである場合、それはすでに周期的に送信されていてもよく、ＮＷはさらなるアクションを必要としなくてもよい。デフォルトのＲＬＭ−ＲＳがＣＳＩ−ＲＳである場合、ＮＷは、新しいＲＬＭ−ＲＳがそれを置き換えるまで、何らかの既知の周期性で同じＣＳＩ−ＲＳを送信し得る。
【００７４】
[0082]  上述のように、本明細書で提供されるＲＬＭ−ＲＳ決定プロシージャは、ＵＥが、明示的なＲＬＭ−ＲＳ構成の前にＲＬＭ失敗を検出および報告することを可能にし得、これは、性能を改善するのを助け得る。
【００７５】
[0083]  本明細書で開示する方法は、説明した方法を達成するための１つまたは複数のステップまたはアクションを備える。方法ステップおよび／またはアクションは、特許請求の範囲から逸脱することなく、互いに交換され得る。言い換えれば、ステップまたはアクションの特定の順序が指定されない限り、特定のステップおよび／またはアクションの順序および／または使用は、特許請求の範囲から逸脱することなく修正され得る。
【００７６】
[0084]  本明細書で使用する、項目のリスト「のうちの少なくとも１つ」を指す句は、単一のメンバーを含む、それらの項目の任意の組み合わせを指す。一例として、「ａ、ｂ、またはｃの少なくとも１つ」は、ａ、ｂ、ｃ、ａ−ｂ、ａ−ｃ、ｂ−ｃ、およびａ−ｂ−ｃ、ならびに複数の同じ要素との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含することが意図される。特許請求の範囲を含めて本明細書で使用される場合、用語「および／または」は、２つ以上の項目のリストで使用される場合、列挙された項目のいずれか１つが単独で使用され得るか、または列挙された項目の２つ以上の任意の組み合わせが使用され得ることを意味する。例えば、構成がコンポーネントＡ、Ｂ、および／またはＣを含むと説明される場合、その構成は、Ａ単独；Ｂ単独；Ｃ単独；ＡおよびＢの組み合わせ；ＡおよびＣの組み合わせ；ＢおよびＣの組み合わせ；またはＡ、Ｂ、およびＣの組み合わせを含むことができる。
【００７７】
[0085]  本明細書で使用される場合、「決定すること」という用語は、幅広いアクションを含む。例えば、「決定すること」は、算出すること、計算すること、処理すること、導出すること、調査すること、ルックアップすること（例えば、表、データベースまたは別のデータ構造においてルックアップすること）、確認することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【００７８】
[0086]  以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。例えば、本願明細書および添付の特許請求の範囲において使用される「ａ」や「ａｎ」といった冠詞は、一般に、別段に明記されていない限り、または、単数形を指していることが文脈から明らかでない限り、「１つまたは複数」を意味するものと解釈されるべきである。別段に明記されていない限り、「いくつかの」という用語は「１つまたは複数の」を指す。さらに、「または」という用語は、排他的な「または」ではなく、包括的な「または」を意味するものとする。すなわち、別段に明記されていない限り、または文脈から明らかでない限り、例えば、「ＸはＡまたはＢを用いる」というフレーズは、自然な包括的置換のうちのいずれかを意味することを意図している。すなわち、例えば、「ＸはＡまたはＢを用いる」という句は、ＸがＡを用いる場合、ＸがＢを用いる場合、またはＸがＡとＢの両方を用いる場合のいずれによっても満たされる。当業者に知られている、または後に知られることになる、本開示全体にわたって説明した様々な態様の要素の全ての構造的および機能的均等物は、参照により本明細書に明確に組み込まれ、特許請求の範囲に包含されるものである。さらに、本明細書に開示したいかなることも、そのような開示が特許請求の範囲に明示的に記載されているかどうかにかかわらず、公衆に献呈するものではない。請求項のどの要素も、その要素が明確に「〜のための手段」というフレーズを使用して記載されていない限り、または、方法の請求項の場合には、その要素が「〜するためのステップ」というフレーズを使用して記載されていない限り、米国特許法第１１２条６項の規定のもとで解釈されるべきではない。
【００７９】
[0087]  上述された方法の様々な動作は、対応する機能を実行することができる任意の適切な手段によって行われ得る。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含み得る。例えば、図７、図８及び図９に示された様々な動作は、図４に示された様々なプロセッサによって実行される。より詳細には、図７の動作７００は、図４に示すＵＥ１２０のプロセッサ４６６、４５８、４６４、および／またはコントローラ／プロセッサ４８０のうちの１つまたは複数によって実行され得る。
【００８０】
[0088]  一般に、図に示す動作がある場合、それらの動作は、対応するカウンターパートのミーンズプラスファンクションコンポーネントを有し得る。例えば、送信するための手段および／または受信するための手段は、送信プロセッサ４２０、ＴＸ ＭＩＭＯプロセッサ４３０、受信プロセッサ４３８、または基地局１１０および／または送信プロセッサ４６４のアンテナ４３４、ＴＸ ＭＩＭＯプロセッサ４６６、受信プロセッサ４５８、またはユーザ機器１２０のアンテナ４５２のうちの１つまたは複数を備え得る。したがって、決定するための手段、および構成するための手段は、基地局１１０のコントローラ／プロセッサ４４０、および／またはユーザ機器１２０のコントローラ／プロセッサ４８０などの１つまたは複数のプロセッサを備え得る。
【００８１】
[0089]  本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタロジック、個別ハードウェアコンポーネント、あるいは本明細書に記載の機能を実行するように設計されたそれらの任意の組み合わせを用いて実施または実行できる。汎用プロセッサはマイクロプロセッサであり得るが、代替として、プロセッサは、任意の従来の利用可能なプロセッサ、コントローラ、マイクロコントローラ、またはステートマシンであり得る。プロセッサは、コンピューティングデバイスの組み合わせ、例えば、ＤＳＰとマイクロプロセッサとの組み合わせ、複数のマイクロプロセッサ、ＤＳＰコアと連携する１つまたは複数のマイクロプロセッサ、あるいは任意の他のそのような構成として実施することもできる。
【００８２】
[0090]  ハードウェアで実装される場合、例示的なハードウェア構成は、ワイヤレスノード中の処理システムを備え得る。処理システムは、バスアーキテクチャを用いて実装され得る。バスは、処理システムの特定の用途と全体的な設計の制約に依存して、任意の数の相互接続バスおよびブリッジを含み得る。バスは、プロセッサ、機械可読媒体、およびバスインターフェースを含む様々な回路を共にリンクさせ得る。バスインターフェースは、特に、バスを介してネットワークアダプタを処理システムに接続するために使用されることができる。このネットワークアダプタは、ＰＨＹレイヤの信号処理機能を実現するために使用され得る。ユーザ端末１２０（図１を参照）の場合、ユーザインターフェース（例えば、キーパッド、ディスプレイ、マウス、ジョイスティックなど）もまた、バスに接続されることができる。バスはまた、タイミングソース、周辺機器、電圧レギュレータ、電力管理回路などといった様々な他の回路をリンクさせることができるが、それらは、当該技術において周知であるため、これ以上説明されない。プロセッサは、１つまたは複数の汎用および／または特殊用途プロセッサで実装され得る。例は、ソフトウェアを実行することができるマイクロプロセッサ、マイクロコントローラ、ＤＳＰプロセッサ、および他の回路を含む。当業者は、システム全体に課された特定の用途および全体的な設計の制約に依存して、処理システムについて説明された機能をどのように実装することが最善かを認識するだろう。
【００８３】
[0091]  ソフトウェアで実装される場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語と呼ばれる場合も、その他の名称で称される場合も、命令、データ、またはそれらの任意の組み合わせを意味するものとして広く解釈されるべきである。コンピュータ可読媒体は、ある場所から別の場所へのコンピュータプログラムの転送を容易にする任意の媒体を含む、コンピュータ記憶媒体とコンピュータ通信媒体の両方を含む。プロセッサは、バスの管理と、機械可読記憶媒体に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体はプロセッサに一体化され得る。例として、機械可読媒体は、送信回線、データによって変調された搬送波、および／またはワイヤレスノードとは別個の命令を記憶したコンピュータ可読記憶媒体を含み得るが、それらは全てバスインターフェースを介してプロセッサによりアクセスされ得る。代替的にまたは加えて、機械可読媒体、またはそのうちの任意の部分は、キャッシュおよび／または汎用レジスタファイルが用いられ得るような場合に、プロセッサに組み込まれ得る。機械可読記憶媒体の例は、例として、ＲＡＭ（ランダムアクセスメモリ）、フラッシュメモリ、位相変換メモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（登録商標）（電気的に消去可能なプログラマブル読み取り専用メモリ）、レジスタ、磁気ディスク、光ディスク、ハードドライブ、または任意の他の適切な記憶媒体、またはそれらの任意の組み合わせを含み得る。機械可読媒体は、コンピュータプログラム製品に組み込まれ得る。
【００８４】
[0092]  ソフトウェアモジュールは、単一の命令または多数の命令を備えることがあり得、いくつかの異なるコードセグメントにわたって、異なるプログラム間で、および複数の記憶媒体にわたって、分散されることがあり得る。コンピュータ可読媒体は、多数のソフトウェアモジュールを備え得る。ソフトウェアモジュールは、プロセッサのような装置によって実行されるとき、様々な機能を処理システムに実行させる命令を含む。ソフトウェアモジュールは、送信モジュールと受信モジュールとを含み得る。各ソフトウェアモジュールは、単一の記憶デバイスに存在するか、または複数の記憶デバイスにわたって分散し得る。例として、ソフトウェアモジュールは、トリガイベントが生じたとき、ハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインは次いで、プロセッサによる実行のために、汎用レジスタファイルにロードされ得る。以下でソフトウェアモジュールの機能に言及するとき、そのような機能は、ソフトウェアモジュールからの命令を実行するとき、プロセッサによって実施されることが理解されるだろう。
【００８５】
[0093]  また、任意の接続は、厳密にはコンピュータ可読媒体と呼ばれ得る。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク（登録商標）およびＢｌｕ−ｒａｙ（登録商標）ディスクを含み、ここで、ディスク（disks）は通常データを磁気的に再生し、一方ディスク（discs）は、データをレーザで光学的に再生する。よって、いくつかの態様では、コンピュータ可読媒体は、非一時的コンピュータ可読媒体（例えば、有体媒体）を備え得る。さらに、他の態様では、コンピュータ可読媒体は、一時的なコンピュータ可読媒体（例えば、信号）を備え得る。上記の組み合わせもコンピュータ可読媒体の範囲内に含めるべきである。
【００８６】
[0094]  よって、ある特定の態様は、本明細書において提示された動作を実行するためのコンピュータプログラム製品を備え得る。例えば、このようなコンピュータプログラム製品は、命令を記憶された（および／またはエンコードされた）コンピュータ可読媒体を備えることがあり得、その命令は、本明細書に記載された動作を実行するために１つまたは複数のプロセッサによって実行可能である。例えば、本明細書に説明され、且つ添付された図面に例示された動作を実行するための命令。
【００８７】
[0095]  さらに、本明細書に説明された方法および技法を実行するためのモジュールおよび／または他の適切な手段が、ダウンロードされることができること、および／または、そうでなければ、ユーザ端末および／または基地局によって、適用可能に得られることが理解されるべきである。例えば、このようなデバイスは、本明細書で説明される方法を実行するための手段の転送を容易にするためにサーバに結合され得る。代替として、本明細書で説明される様々な方法は、ユーザ端末および／または基地局が、デバイスに記憶手段を結合または提供する際に様々な方法を取得し得るように、記憶手段（例えば、ＲＡＭ、ＲＯＭ、コンパクトディスク（ＣＤ）またはフロッピーディスクなどの物理記憶媒体など）を介して提供され得る。さらに、本明細書で説明される方法および技法をデバイスに提供するために、任意の他の適切な技法が利用され得る。
【００８８】
[0096]  特許請求の範囲は、上記に示されたとおりの構成およびコンポーネントに限定されないことが理解されるべきである。本願の特許請求の範囲から逸脱することなく、様々な変更、交換、および変形が、上述された方法および装置の配置、動作、および細部に対して行われ得る。
【図１】
2021514156.tif 000003
【図２】
2021514156.tif 000004
【図３】
2021514156.tif 000005
【図４】
2021514156.tif 000006
【図５】
2021514156.tif 000007
【図６】
2021514156.tif 000008
【図７】
2021514156.tif 000009
【図８】
2021514156.tif 000010
【国際調査報告】
2021514156.tif 000011
2021514156.tif 000012
2021514156.tif 000013